(57)【要約】      （修正有）【課題】うがいと水分補給に別々の容器を必要としないワンボトル２キャップ式の容器を提供する。【解決手段】瓢箪型に形成した容器本体１の中央括れ部分２に設けた仕切り部３と、仕切り部３を介して上下に仕切り、それぞれにキャップ付きの注ぎ口７を有する上層部４と下層部５とを備え、上下両層部４，５のうち、一方にうがい水を、他方に飲料水それぞれを収容できるようにする。中央括れ部分２において、上層部４と下層部５とを分離または連結可能とするよう仕切り部３には連結部６を設け、さらに容器本体１を立て置き可能とする底蓋止め用の突起８を備える。【選択図】図２
0003150758.tif 000002
【実用新案登録請求の範囲】
【請求項１】
瓢箪型の容器の中央部分に仕切りを設けて上層と下層にわけた。キャップも上・下二つにしてそれぞれ注ぎ口を設けた。うがい水と飲料水の二種類を収容可能なものに構成した。
瓢箪型は中央部分に凹みがあるので持ちやすく使いやすい、又利用者特に子供達に形の上でも興味深く楽しく使用出来る。継続的にうがいをするという習慣化を計る点でのインパクトを考慮した。
家庭内でも寝おきに即座に利用できるように底蓋を取り付けて枕元やテーブルの上にたてて置ける工夫を施した。
【請求項２】
瓢箪型の容器の上層と下層とを取り外したり、連結させたりすることが出来る容器。
上層下層ともにキャップを取り付けた。うがい水と飲料水の二種類を収容可能なものにした。
家庭内でも寝おきに即座に利用できるように蓋底を取り付けて枕元やテーブルの上に立てて置ける工夫を施した。
さらに脱着可能な機能は容器の殺菌洗浄の際、飲料水を入れる容器は毎日洗浄が必要であるが、うがい水の容器は数日に一回の洗浄で済むため、脱着可能の方がより便利である。またこの容器の目的は子供たちのうがいの習慣化を狙ったものであり、その点において脱着可能の機能が興味を引き起こすインパクトを与える。従ってこの容器形体がその効果につながるものとおもえる。
【考案の詳細な説明】
【技術分野】
【０００１】  本考案は、一個のペットボトルで、うがいと水分補給のための二種類の水が収められる容器。
【背景技術】
【０００２】これまでは家にいても、外出先にいてもうがいと水分補給は別々の容器を使用していた。
【考案の開示】
【考案が解決しようとする課題】
【０００３】  本考案はこれまでのようにうがいのボトルと水分補給のボトルを二つ携えるのは大変でありその負担を軽減させるためのものである。さらにこれはうがいと水分補給をより一層浸透させるためのものである。
【課題を解決するための手段】
【０００４】  一本のボトルで両用出来るのは便利で、且つ実用性に富む。一般家庭でも外出先でも、戸外のスポーツ等においても必要な時即座に利用できるし、子供から老人に至るまで頻繁に億劫な思いもせず利用できる。
【考案の効果】
【０００５】  医学的な見地から昨今の感染症や新型インフルエンザのグローバルな蔓延の兆しには、自己防衛の手段を講ずる必要がありうがい、水分補給がいつでもどこでも簡単にできる事が大切である。
【考案を実施するための最良の形態】
【０００６】  習慣的にうがいをすることにより風邪や感染症予防にますます意識も高まり免疫力がつくはずである。本考案は習慣は第二の天性であるというとうり習慣化されれば健康志向、特に風邪の予防の鍵となる。
【実施例】
【０００７】  外出時やスポーツの際もこれ一本携帯しておくだけで常時、うがいと水分補給可能であり家庭内でも寝おきに必要な時即座にうがいと水分補給ができる。
【産業上の利用可能性】
【０００８】  本考案は工業的に量産できる。従って産業上の利用可能性を有する。容器・キャップとも殺菌することにより、繰り返し使用することができ、資源の節約につながる。
【図面の簡単な説明】
【０００９】
【図１】  ボトル中央に仕切りを取り付けて上層下層にわけ、うがい水と飲料水をそれぞれに入れる容器。
【図２】  ボトル中央に仕切りを取り付けて上層下層にわけ、うがい水と飲料水をそれぞれに入れ取り外し可能な容器。
【符号の説明】
【００１０】（１）発明の実施形態を示す全体の型。
（２）上下二層の仕切り。
（２′）脱着可能な断面図
（３）ボトルの安定の底蓋。
（４）飲み口用の２キャップ。
（５）底蓋止めの突起。
【図１】
0003150758.tif 000003
【図２】
0003150758.tif 000004
【手続補正書】
【提出日】平成21年3月19日(2009.3.19)
【手続補正１】
【補正対象書類名】実用新案登録請求の範囲
【補正対象項目名】全文
【補正方法】変更
【補正の内容】
【実用新案登録請求の範囲】
【請求項１】
瓢箪型に形成した容器本体の中央括れ部分に設けた仕切り部と、仕切り部を介して上下に仕切られ、それぞれにキャップ付きの注ぎ口を有する上層部と下層部とを備え、上下両層部のうち、一方にうがい水を、他方に飲料水をそれぞれ収容できるようにして成ることを特徴とする容器。
【請求項２】
前記中央括れ部分において上層部と下層部とを分離または連結可能とするよう仕切り部には連結部を設けてある請求項１記載の容器。
【請求項３】
容器本体を立て置き可能とする底蓋止め用の突起を備えている請求項１または２記載の容器。
【手続補正２】
【補正対象書類名】明細書
【補正対象項目名】全文
【補正方法】変更
【補正の内容】
【考案の詳細な説明】
【技術分野】
【０００１】  本考案は、１個のボトルでうがい水と飲料水との２種類の水を各別に収容可能とした容器に関する。
【背景技術】
【０００２】  医学的な見地からみると、昨今の感染症や新型インフルエンザのグローバルな蔓延の兆しには、何等かの自己防衛の手段を講ずる必要がある。そのためには例えば、うがいと水分補給とがいつでも且つどこにおいても簡単にできるようにすることが大切である。【０００３】  すなわち、習慣的にうがいをし且つ水分補給をすることで免疫力がつくはずであり、これにより風邪や感染症の予防の意識がますます高まる。また習慣とは第２の天性といわれる如く、うがい、水分補給が習慣化されることで健康志向としての風邪等の予防の鍵となるのである。【０００４】  このようなことから、従来では、在宅時または外出時のいずれにおいても、うがい水と飲料水とを別々のボトルに収容して所持する等の手段により、風邪等の予防対策としている。【特許文献１】特になし
【考案の開示】
【考案が解決しようとする課題】
【０００５】  しかしながら、上述したように従来においては、うがい用のボトルと水分補給用のボトルとの２つを携えるとすることは面倒であり、負担も掛かるという問題点を有していた。 【０００６】  そこで、本考案は叙上のような従来存した諸事情に鑑み創案されたもので、うがい用のボトルと水分補給用のボトルとの２つを携えるという面倒さと負担とを軽減可能にし、しかも大衆に対し、うがいと水分補給とによる風邪等の予防対策をよりいっそう浸透させることのできる容器を提供することを目的とする。
【課題を解決するための手段】
【０００７】  上述した課題を解決するために、本考案にあっては、瓢箪型に形成した容器本体１の中央括れ部分２に設けた仕切り部３と、仕切り部３を介して上下に仕切られ、それぞれにキャップ付きの注ぎ口７を有する上層部４と下層部５とを備え、上下両層部４，５のうち、一方にうがい水を、他方に飲料水をそれぞれ収容できるようにして成るものである。  前記中央括れ部分２において上層部４と下層部５とを分離または連結可能とするよう仕切り部３には連結部６を設けてあるものとできる。  容器本体１を立て置き可能とする底蓋止め用の突起８を備えたものとできる。【０００８】  以上のように構成された本考案に係る容器にあって、うがい時には、瓢箪型の容器本体１の中央括れ部分２を片手で持ち、うがい水が収容されている上層部４あるいは下層部５の一方のキャップを外して、注ぎ口７からうがい水を注ぎ出す。  また、水分補給時には、瓢箪型の容器本体１を逆さにした状態でその中央括れ部分２を片手で持ち、飲料水が収容されている下層部５あるいは上層部４の他方のキャップを外して、注ぎ口７から飲料水を注ぎ出す。  中央括れ部分２に設けられた連結部６は、上層部４と下層部５とを分離させることで、それぞれを個別の容器として使用可能にさせる。  底蓋止め用の突起８は、上層部４または下層部５のいずれか一方を上に、いずれか他方を下にした状態で容器本体１を例えば枕元やテーブル上等に立て置き可能にさせる。
【考案の効果】
【０００９】  本考案によれば、うがい用のボトルと水分補給用のボトルとの２つを携えるという面倒さと負担とを軽減可能にし、しかも大衆に対し、うがいと水分補給による風邪等の予防対策をよりいっそう浸透させることができる。【００１０】  すなわちこれは、本考案によれば、瓢箪型に形成した容器本体１の中央括れ部分２に設けた仕切り部３と、仕切り部３を介して上下に仕切られ、それぞれにキャップ付きの注ぎ口７を有する上層部４と下層部５とを備え、上下両層部のうち、一方にうがい水を、他方に飲料水をそれぞれ収容できるようにして成るからであり、これにより、うがいと水分補給との両方が可能となる実用性に富む容器が得られる。【００１１】  また、一般家庭でも外出先でも、さらには戸外でのスポーツ等においても、うがいや水分補給の必要な時には即座に利用することができ、子供から高齢者に至るまで誰でも頻繁に利用することができる。【００１２】  特に、瓢箪型に形成した容器本体１は、その中央括れ部分２によって持ち易いものとなり、また、瓢箪型であること自体により、例えば子供たちにとって興味深く楽しく使用することができ、子供たちのうがいの習慣化を容易に図ることができる。【００１３】  前記中央括れ部分２において上層部４と下層部５とを分離または連結可能とするよう仕切り部３には連結部６を設けてあるので、上層部４と下層部５とを分離させることで、それぞれが個別の容器として使用できるものとなる。しかも、これによって、容器本体１の殺菌洗浄の際には、飲料水を入れる層部の方は毎日洗浄が必要であっても、うがい水を入れる層部の方は、数日に１回の洗浄で済むという使い勝手が向上し、非常に便利なものとなる。【００１４】  また、このような脱着機能がある連結部６を設けたことで、興味を引き起こすインパクトを利用者に与えることができる。【００１５】  容器本体１を立て置き可能とする底蓋止め用の突起８を備えたので、例えば、枕元に立てて置くことで家庭内における寝起きの際に即座に使用することができる。【００１６】  尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための形態】
【００１７】  以下、図面を参照して本考案の実施の形態を詳細に説明する。
【００１８】  図において示される符号１は、うがい水と飲料水との２種類の水を各別に収容可能とした容器本体であり、該容器本体１は、図１に示すように、その中央部を片手で容易に把持可能となるように中央周面を内側に凹ませて中央括れ部分２を形成し、該中央括れ部分２を介して上下に球状容器１ａ，１ｂを連設することで全体が略瓢箪型となって形成されている。
【００１９】  中央括れ部分２には仕切り部３が設けられており、該仕切り部３を介して容器本体１は球状容器１ａ内の上層部４と、球状容器１ｂ内の下層部５とに仕切られている。
【００２０】  これら球状容器１ａ，１ｂそれぞれはキャップ付きの注ぎ口７を備え、上下両層部４，５のうち、一方にうがい水を収容し、他方に飲料水を収容できるようにしてある。注ぎ口７は、中央の仕切り部３を介して上下対称となる球状容器１ａ，１ｂの各外側面位置に配置形成されている。
【００２１】  また、図２に示すように、中央括れ部分２における仕切り部３には脱着可能な連結部６を設け、この中央括れ部分２において上層部４のある球状容器１ａと、下層部５のある球状容器１ｂとが分離または連結できるようにしてある。
【００２２】  例えば、この連結部６は、図２（ａ）に示すように、中央括れ部分２における仕切り部３の厚みを若干大きくし、仕切り部３の中央を切断して上下に分割すると共に、図２（ｂ）に示すように、上側の仕切り部３の下面に例えば蛇行状の溝６ａを形成し、該溝６ａに嵌り込むように下側の仕切り部３の上面に例えば蛇行状の突部６ｂを形成することによって構成される。
【００２３】  さらに、容器本体１の上層部４または下層部５のいずれか一方を上に、いずれか他方を下にした状態で当該容器本体１を所定の場所に立てて置くための底蓋止め用の突起８を設けている。
【００２４】  この底蓋止め用の突起８は、図１、図２に示すように、円板の上面を断面略円弧状に抉って、上層部４または下層部５のいずれか一方の注ぎ口７側面を載せるための載置面部８ａとし、この載置面部８ａの中央には、注ぎ口７に嵌められているキャップ部分を挿入し保持するための保持孔部８ｂが形成されている。
【００２５】  次に、以上のように構成された形態についての使用の一例について説明する。
【００２６】  うがい時には、瓢箪型の容器本体１の中央括れ部分２を片手で持ち、うがい水が収容されている例えば上層部４のキャップを外して、注ぎ口７からうがい水を注ぎ出す。
【００２７】  水分補給時には、瓢箪型の容器本体１を逆さにした状態でその中央括れ部分２を片手で持ち、飲料水が収容されている例えば下層部５のキャップを外して、注ぎ口７から飲料水を注ぎ出す。
【００２８】  使用しないときは、上層部４または下層部５のいずれか一方を上に、いずれか他方を下にした状態で底蓋止め用の突起８に容器本体１を載せて、例えば枕元やテーブル上等に立てて置かれる。
【００２９】  また、中央括れ部分２に設けられた連結部６によって上層部４のある球状容器１ａと、下層部５のある球状容器１ｂとに分離することで、うがい水用と飲料水用との個別の容器として使用する。
【００３０】  このとき、頻繁に殺菌洗浄が必要であるところの飲料水を収容した球状容器１ａ（１ｂ）側を上向きにし、あまり殺菌洗浄を必要としないところのうがい水を収容した球状容器１ｂ（１ａ）側を下向きにして底蓋止め用の突起８に載せておく。
【００３１】  そして、洗浄時には、うがい水を収容した球状容器１ｂ（１ａ）側を底蓋止め用の突起８に載せたままの状態で、連結部６により、飲料水を収容した球状容器１ａ（１ｂ）を取り外して洗浄すればよい。
【図面の簡単な説明】
【００３２】
【図１】本考案を実施するための一形態における容器本体を、底蓋止め用の突起に載せて立て置きしてある状態を示す側面図である。
【図２】同じく容器本体を分離可能にした具体的な構成例を示すもので、（ａ）は容器本体を底蓋止め用の突起に載せて立て置きしてある状態を示す側面図、（ｂ）は中央括れ部分における連結部の一例を示す断面図である。
【符号の説明】
【００３３】１…容器本体                            １ａ，１ｂ…球状容器２…中央括れ部分                        ３…仕切り部４…上層部                              ５…下層部６…連結部                              ６ａ…溝６ｂ…突部                              ７…注ぎ口８…底蓋止め用の突起                    ８ａ…載置面部８ｂ…保持孔部
【手続補正３】
【補正対象書類名】図面
【補正対象項目名】全図
【補正方法】変更
【補正の内容】
【図１】
0003150758.tif 000005
【図２】
0003150758.tif 000006